(57)【要約】【課題】ロッカースイッチおよび基板のロッカースイッチ実装部分の破損を防止し、ロッカースイッチおよびコネクタを筐体における単一の面内に配置することによって美観を確保するとともに設置にかかる省スペース化を図ることができ、作業を煩雑化することなく容易に組み立てること。【解決手段】単一の面に配置されるロッカースイッチ１０６およびコネクタ１０７を実装する基板２０１を収容する筐体１０１を、ボトムプレート１０４とコネクタプレート１０５を用いて構成した。ボトムプレート１０４は、基板２０１の裏面側を覆い、ロッカースイッチ１０６の筐体１０１の内側への移動を規制する規制部２０３ａを備える。コネクタプレート１０５は、規制部２０３ａよりも筐体１０１の外側に設けられ、嵌合することによりロッカースイッチ１０６を外部に臨ませる第１の開口１０８と、嵌合することによりコネクタ１０７を外部に臨ませる第２の開口１０９とを備える。【選択図】図２
2018063608.tif 000002
【特許請求の範囲】
【請求項１】
単一の基板に実装されたロッカースイッチおよびコネクタと、
前記ロッカースイッチおよび前記コネクタを単一の面から外部に臨ませた状態で前記基板を収容する筐体と、
を備え、
前記筐体は、
前記基板における前記ロッカースイッチおよび前記コネクタの実装面の裏面側を覆う底面部と、当該底面部から前記ロッカースイッチ側に突出し、前記ロッカースイッチの前記筐体の内側への移動を規制する規制部と、を備えたフレーム部材と、
前記規制部よりも前記筐体における外側に設けられ、前記ロッカースイッチと嵌合して前記ロッカースイッチを外部に臨ませる第１の開口と前記コネクタと嵌合して前記コネクタを外部に臨ませる第２の開口とを備えたカバー部材と、
を備えたことを特徴とする電子機器装置。
【請求項２】
前記第１の開口は、前記単一の面内において前記ロッカースイッチと嵌合し、前記第２の開口は、前記単一の面内において前記コネクタと嵌合することを特徴とする請求項１に記載の電子機器装置。
【発明の詳細な説明】
【技術分野】
【０００１】
この発明は、ロッカースイッチおよびコネクタを備えた電子機器装置に関する。
【背景技術】
【０００２】
従来、ロッカースイッチとインターフェースコネクタとを備えた電子機器装置があった。このような電子機器装置においては、たとえば、ロッカースイッチとインターフェースコネクタとを、電子機器装置の筐体における単一の面内に配置したものがあった。このような電子機器装置において、ロッカースイッチやインターフェースコネクタを実装する基板は、たとえば、電子機器装置の筐体の底面をなす外装部材に組み付けられる。
【０００３】
関連する技術として、従来、電源コネクタと電源供給端子を有するインターフェースコネクタとを備えた電子機器装置において、複数種類のインターフェースコネクタのうち電源供給端子を有するインターフェースコネクタを取り付ける場合は支持部材によって電源コネクタを覆い隠すことにより、電源供給端子を有するインターフェースコネクタを経由して供給される電力と電源供給装置から電源コネクタを経由して供給される電力とが同時に供給されることを容易かつ確実に防止するようにした技術があった（たとえば、下記特許文献１を参照。）。
【０００４】
また、関連する技術として、従来、ロール紙を使用するプリンタ装置において、ロール紙の搬送や印字あるいは用紙の切断などにかかる各構成要素の状態を捉えて、それぞれ検出信号として取り出すそれぞれのセンサを一つのセンサ基板に実装するようにした技術があった（たとえば、下記特許文献２を参照。）。
【０００５】
また、関連する技術として、従来、電源基板のインレット付近はフレームに固定せず、インレットを挟み込んだカバー部材をフレームに固定するよう構成し、インレットへの電源ケーブルの抜き差しの際に電源基板を共に移動させることによってインレットと電源基板との接合部にかかる負荷を減少させるようにした技術があった（たとえば、下記特許文献３を参照。）。
【０００６】
また、関連する技術として、従来、制御基板を裏面に装着した板金ブラケットの周縁部から、周縁に沿う方向の長さが制御装置の放射する電波周波数の１／４波長以下の多数の舌片を筐体の開口部の板金壁を交互に挟み込むように段違いに成形し、２本のビスで取付けるように構成することにより、制御基板を装着した板金ブラケットを板金筐体内に装着する際のビス止めの手間を抑えるようにした技術があった（たとえば、下記特許文献４を参照。）。
【０００７】
また、関連する技術として、従来、サブボードとメインボードを接続した際に、メインボードの切り欠き部にサブボードの外部スロット用コネクタの実装部を位置づけ、外部スロット用コネクタをサブボードとメインボードを接続するためのコネクタと略直列位置にオフセットすることによりデザイン上の自由度を向上させ、サブボードに搭載されるコネクタをすべて部品面より挿入することによりすべてのコネクタを同時にハンダ付けでき、サブアッセンブリコストを抑えるようにした技術があった（たとえば、下記特許文献５を参照。）。
【先行技術文献】
【特許文献】
【０００８】
【特許文献１】特許第５３９５６８１号公報
【特許文献２】特開２００９−１０７２９０号公報
【特許文献３】特開２００４−８２４７９号公報
【特許文献４】特許第３９４１４１９号公報
【特許文献５】実開平６−９０８０号公報
【発明の概要】
【発明が解決しようとする課題】
【０００９】
しかしながら、基板に実装された状態のロッカースイッチの位置を、当該ロッカースイッチに対する操作による外力に抗して規制するためには、ロッカースイッチの位置を規制する規制部材を、基板に実装された状態のロッカースイッチに対する操作方向に対して９０度異なる方向から差し込むようにして取り付ける必要がある。一方で、電子機器装置の美観を確保するためにロッカースイッチやコネクタの周囲を覆うためには、当該ロッカースイッチやコネクタと嵌合する開口を備えた外装部材を、コネクタに対するコネクタの挿抜方向に対して平行な方向から取り付ける必要がある。
【００１０】
このように、ロッカースイッチの位置を規制する部材の基板に対する組み付け方向と、コネクタを覆う外装部材の基板に対する組み付け方向と、が異なるため、組み立てにかかる作業性を確保するためにロッカースイッチやコネクタを基板とともにユニット化する場合、ロッカースイッチおよびコネクタを筐体における単一の面内に配置することができない。
【００１１】
このため、従来の電子機器装置においては、美観の確保などのために筐体における単一の面内に配置した場合には、ロッカースイッチおよび基板のロッカースイッチ実装部分の破損を防止する構造とするために組み付け作業が繁雑になってしまうという問題があった。一方で、組み付け作業を考慮した場合はロッカースイッチやコネクタを筐体における単一の面内に配置することができず、十分な美観を確保することが難しいという問題があった。
【００１２】
このように、上述した特許文献１〜５に記載された技術を含む従来の技術は、ロッカースイッチおよび基板のロッカースイッチ実装部分の破損防止、ロッカースイッチおよびコネクタを筐体における単一の面内に配置することによる美観の確保や設置にかかる省スペース化、および、組み立て作業の容易化、のすべてを実現することができないという問題があった。
【００１３】
この発明は、上述した従来技術による問題点を解消するため、ロッカースイッチおよび基板のロッカースイッチ実装部分の破損を防止し、ロッカースイッチおよびコネクタを筐体における単一の面内に配置することによって美観を確保するとともに設置にかかる省スペース化を図ることができ、作業を煩雑化することなく容易に組み立てることができる電子機器装置を提供することを目的とする。
【課題を解決するための手段】
【００１４】
上述した課題を解決し、目的を達成するため、この発明にかかる電子機器装置は、単一の基板に実装されたロッカースイッチおよびコネクタと、前記ロッカースイッチおよび前記コネクタを単一の面から外部に臨ませた状態で前記基板を収容する筐体と、を備え、前記筐体が、前記基板における前記ロッカースイッチおよび前記コネクタの実装面の裏面側を覆う底面部と、当該底面部から前記ロッカースイッチ側に突出し、前記ロッカースイッチの前記筐体の内側への移動を規制する規制部と、を備えたフレーム部材と、前記規制部よりも前記筐体における外側に設けられ、前記ロッカースイッチと嵌合して前記ロッカースイッチを外部に臨ませる第１の開口と前記コネクタと嵌合して前記コネクタを外部に臨ませる第２の開口とを備えたカバー部材と、を備えたことを特徴とする。
【００１５】
また、この発明にかかる電子機器装置は、上記の発明において、前記第１の開口が、前記単一の面内において前記ロッカースイッチと嵌合し、前記第２の開口が、前記単一の面内において前記コネクタと嵌合することを特徴とする。
【発明の効果】
【００１６】
この発明にかかる電子機器装置によれば、ロッカースイッチおよび基板のロッカースイッチ実装部分の破損を防止でき、ロッカースイッチおよびコネクタを筐体における単一の面内に配置することによって美観を確保するとともに設置にかかる省スペース化を図ることができる電子機器装置を、作業を煩雑化することなく容易に組み立てることができるという効果を奏する。
【図面の簡単な説明】
【００１７】
【図１】この発明にかかる実施の形態の電子機器装置を示す説明図である。
【図２】この発明にかかる実施の形態の電子機器装置の一部を分解して示す説明図である。
【図３】ロッカースイッチおよびコネクタの取付構造を示す説明図（その１）である。
【図４】ロッカースイッチおよびコネクタの取付構造を示す説明図（その２）である。
【図５】ロッカースイッチおよびコネクタの取付構造を示す説明図（その３）である。
【図６】ロッカースイッチおよびコネクタの取付構造を示す説明図（その４）である。
【図７】ロッカースイッチおよびコネクタの取付構造を示す説明図（その５）である。
【図８】ロッカースイッチおよびコネクタの取付構造を示す説明図（その６）である。
【図９】ロッカースイッチおよびコネクタの取付構造を示す説明図（その７）である。
【図１０】ロッカースイッチおよびコネクタの取付構造を示す説明図（その８）である。
【図１１】ロッカースイッチおよびコネクタの取付構造を示す説明図（その９）である。
【図１２】電子機器装置の組み付け手順を示す説明図（その１）である。
【図１３】電子機器装置の組み付け手順を示す説明図（その２）である。
【図１４】電子機器装置の組み付け手順を示す説明図（その３）である。
【図１５】電子機器装置の組み付け手順を示す説明図（その４）である。
【図１６】電子機器装置の組み付け手順を示す説明図（その５）である。
【発明を実施するための形態】
【００１８】
以下に添付図面を参照して、この発明にかかる電子機器装置の好適な実施の形態を詳細に説明する。
【００１９】
まず、この発明にかかる実施の形態の電子機器装置の構成について説明する。図１は、この発明にかかる実施の形態の電子機器装置を示す説明図である。図１においては、この発明にかかる実施の形態の電子機器装置の背面側であって、かつ、電子機器装置を設置した状態における下方（底面）側からの斜視図を示している。
【００２０】
図１において、この発明にかかる実施の形態の電子機器装置１００は、筐体１０１を備えている。筐体１０１は、前後左右および上下に６つの面を備えた略長方体（直方体）形状をなしている。筐体１０１の内側には、電子機器装置本体（図示を省略する）が設けられている。
【００２１】
筐体１０１は、電子機器装置本体の前後左右（正面、背面および両側面）を覆うケース１０２を備えている。ケース１０２において、天面部分および底面部分には開口が設けられている。ケース１０２の背面であって底面側の部分は、当該背面の一部を切り欠く切り欠き部１０３が設けられている。ケース１０２の天面部分の開口は、図示を省略するトップカバーによって覆われる。
【００２２】
ケース１０２の底面部分の開口および切り欠き部１０３は、ボトムプレート１０４およびコネクタプレート１０５によって覆われる（図２を参照）。この実施の形態においては、ボトムプレート１０４によって、この発明にかかるフレーム部材を実現することができる。また、この実施の形態においては、コネクタプレート１０５によって、この発明にかかるカバー部材を実現することができる。
【００２３】
ボトムプレート１０４の裏面側には、電子機器装置１００を設置する際の脚部１０４ａが設けられている。脚部１０４ａは、たとえば、ゴムやシリコンなどの摩擦係数の高い材料を用いて形成される。これにより、電子機器装置１００を安定して設置することができる。
【００２４】
筐体１０１の背面であって、かつ、底面側には、ロッカースイッチ１０６およびコネクタ１０７が設けられている。ロッカースイッチ１０６およびコネクタ１０７は、切り欠き部１０３の内側に設けられている。これにより、ロッカースイッチ１０６およびコネクタ１０７は、筐体１０１の背面よりも正面側に凹んだ位置に位置づけられている。
【００２５】
ロッカースイッチ１０６は、電子機器装置１００の電源のＯＮ／ＯＦＦの切り替え操作を受け付ける。コネクタ１０７は、たとえば、外部装置（図示を省略する）との間でコマンドやデータの送受信をおこなう通信用のインターフェースコネクタ（通信用コネクタ）によって実現することができる。
【００２６】
ロッカースイッチ１０６およびコネクタ１０７は、コネクタプレート１０５に設けられた第１の開口１０８および第２の開口１０９を介して筐体１０１の外部に臨んでいる。また、ロッカースイッチ１０６およびコネクタ１０７は、筐体１０１における単一の面に配置されている。ロッカースイッチ１０６およびコネクタ１０７を、筐体における単一の面内に配置することにより、高いデザイン性を確保することができる。
【００２７】
また、ロッカースイッチ１０６およびコネクタ１０７を、筐体１０１における単一の面内に配置することにより、ロッカースイッチ１０６やコネクタ１０７に対して操作をおこなう方向を、筐体１０１における一方向に制限することができる。これにより、電子機器装置１００を設置する際に、操作のために確保するスペースを小さく抑えることができ、電子機器装置１００の設置にかかる省スペース化を図ることができる。
【００２８】
ロッカースイッチ１０６は、具体的には、たとえば、シールタイプのロッカースイッチ１０６を用いることができる。シールタイプのロッカースイッチ１０６は、スイッチングアーム１０６ａを備えるスイッチ機構や、スイッチ機構を覆う外装ケーシング１０６ｂなどによって構成される。
【００２９】
ロッカースイッチ１０６において、スイッチ機構が備えるスイッチングアーム１０６ａは、外装ケーシング１０６ｂに対して揺動可能に支持される。スイッチングアーム１０６ａは、外装ケーシング１０６ｂに対して揺動することにより、電子機器装置１００における電源をＯＮ状態としたりＯＦＦ状態としたりする。ロッカースイッチ１０６は、スイッチングアーム１０６ａの突出分、コネクタプレート１０５から外方に突出している。
【００３０】
スイッチングアーム１０６ａの外表面には、電子機器装置における電源のＯＮ／ＯＦＦの状態を示す「○」や「−」などの記号が付されていてもよい。この場合、「○」の位置が「−」の位置よりも筐体１０１から突出した状態が電源をＯＦＦにした状態を示し、「−」の位置が「○」の位置よりも筐体１０１から突出した状態が電源をＯＮにした状態を示す。「○」や「−」などの記号は、たとえば、スイッチングアーム１０６ａに対する印刷や、シールの貼り付けなどによって設けることができる。
【００３１】
スイッチングアーム１０６ａに「○」や「−」などの記号を設けることにより、ロッカースイッチ１０６をＯＦＦ状態に固定して電子機器装置１００の組み立てをおこなうことができる。これにより、組み立て後に電源を供給した場合に、電子機器装置１００が不用意に起動してしまうことを確実に防止できる。
【００３２】
また、スイッチ機構は、スイッチングアーム１０６ａに連結された弓バネ（図示を省略する）を備えている。弓バネは、スイッチングアーム１０６ａの揺動に応じて電源のＯＮ状態とＯＦＦ状態とを切り替える。弓バネは、スイッチングアーム１０６ａを電源ＯＮの状態に位置づけた場合に内蔵ケーシングから外部に臨む接点部材（図示を省略する）から離間し、スイッチングアーム１０６ａを電源ＯＦＦの状態に位置づけた場合に接点部材に接触する。弓バネを用いて電源のＯＮ状態とＯＦＦ状態とを切り替えることにより、スイッチングアーム１０６ａの揺動に応じて電源のＯＮ状態とＯＦＦ状態とを確実に切り替えることができる。
【００３３】
外装ケーシング１０６ｂは、スイッチングアーム１０６ａや接点部材の一部を外部に露出させた状態で、スイッチ機構を密閉した状態で収容する。このように、スイッチ機構を外装ケーシング１０６ｂにより密閉することによってユニット化されたロッカースイッチ１０６を用いることにより、ロッカースイッチ１０６内に水や異物が侵入することを確実に防止することができる。
【００３４】
また、外装ケーシング１０６ｂは、電子機器装置１００に実装された状態においてもっとも筐体１０１の外側となる部分、すなわち、スイッチングアーム１０６ａの周囲にフランジ１０６ｃを備えている。外装ケーシング１０６ｂにおいて、電子機器装置１００に実装された状態においてフランジ１０６ｃよりも筐体１０１の内側となる部分には、板バネが設けられていてもよい。この場合、板バネは、一端が外装ケーシング１０６ｂに固定され、自由端とされた他端が自身の弾性力によってフランジ１０６ｃに当接し、フランジ１０６ｃを筐体１０１の外側方向に付勢する。
【００３５】
コネクタ１０７は、たとえば、電源コネクタやインターフェースコネクタなどによって実現することができる。電源コネクタに対しては、電源供給装置（図示を省略する）から電源（電力）を供給する電源供給用プラグ（図示を省略する）が取り外し可能に取り付けられる。電子機器装置１００は、電源コネクタ１０７に取り付けられた電源供給用プラグを介して電源供給装置（図示を省略する）から供給される電力によって動作する。
【００３６】
インターフェースコネクタは、外部装置と通信する際に用いられる。電子機器装置１００が備えるインターフェースコネクタとしては、公知の各種の通信用のインターフェースコネクタを用いることができる。また、インターフェースコネクタは、たとえば、電源供給端子を有するインターフェースコネクタを用いてもよい。
【００３７】
具体的には、電源供給端子を有するインターフェースコネクタは、たとえば、パワードＵＳＢ規格に準じたコネクタなどのように、電子機器装置１００をバスパワードデバイスとし、当該電子機器装置１００のバスパワー動作を可能とするインターフェースコネクタによって実現することができる。電源供給端子を有するインターフェースコネクタを備えることにより、電子機器装置１００は、電源コネクタから供給される電源によってセルフパワードデバイスとして動作するとともに、バスパワードデバイスとして動作することができる。
【００３８】
（電子機器装置１００の内部構成）
つぎに、この発明にかかる実施の形態の電子機器装置１００の内部構成について説明する。図２は、この発明にかかる実施の形態の電子機器装置１００の一部を分解して示す説明図である。図２において、筐体１０１内には、基板２０１が設けられている。
【００３９】
基板２０１には、電子機器装置１００が備える各部を制御する制御部を実現するマイクロコンピュータや、各種コンデンサなどが実装されている。マイクロコンピュータは、ＣＰＵおよびＲＯＭやＲＡＭなどのメモリなどによって構成される。ＣＰＵやメモリなどによって構成されるマイクロコンピュータおよび当該マイクロコンピュータによる電子機器装置１００の制御については、公知の各種の技術を用いて容易に実現可能であるため説明を省略する。
【００４０】
上記のロッカースイッチ１０６およびコネクタ１０７は、基板２０１に実装されている。この実施の形態において、ロッカースイッチ１０６およびコネクタ１０７は、単一の基板２０１に実装されている。基板２０１は、略平板形状をなし、ロッカースイッチ１０６およびコネクタ１０７は、基板２０１における背面側の一辺に沿って並べて配置されている。ロッカースイッチ１０６は、スイッチングアーム１０６ａの突出分、基板２０１における背面側の一辺から外方に突出している。ロッカースイッチ１０６およびコネクタ１０７は、電子機器装置本体や基板２０１に設けられた回路などに電気的に接続される。
【００４１】
ロッカースイッチ１０６およびコネクタ１０７が実装された基板２０１（以下、適宜「実装基板２０１」という）は、電子機器装置本体とボトムプレート１０４との間に設けられている。実装基板２０１は、電子機器装置本体に対してボトムプレート１０４を固定するボトムプレート固定用ネジ（図示を省略する）によって、電子機器装置本体に対して固定されている。実装基板２０１は、電子機器装置本体とボトムプレート１０４との間において狭持されている。
【００４２】
ボトムプレート１０４は、第１の面２０２と第２の面２０３と第３の面２０４とによって形成されている。第１の面２０２は、ケース１０２における底面側の開口を塞ぐ。第２の面２０３は、第１の面２０２と直交しており、切り欠き部１０３における背面側の開口部分を塞ぐ。第２の面２０３は、第１の面２０２に連続している。第２の面２０３には、規制部２０３ａとコネクタ群開放窓２０５とが設けられている。
【００４３】
第３の面２０４は、第１の面２０２と平行であって第２の面２０３と直交しており、切り欠き部１０３における天面側の開口部分を塞ぐ。第３の面２０４は、第２の面２０３を間にして、第１の面２０２とは反対方向に延出している。第３の面２０４は、筐体１０１の背面よりも正面側に凹んだ位置に位置づけられているロッカースイッチ１０６およびコネクタ１０７の上側において庇のように突出して設けられている。
【００４４】
ボトムプレート１０４において、第１の面２０２には、電子機器装置本体側に突出する複数の凸部２０６が設けられている（図５を参照）。複数の凸部２０６には、それぞれ、ボトムプレート１０４を電子機器装置本体にボトムプレート固定用のネジ（図示を省略する）を螺合するための孔２０６ａが設けられている。ボトムプレート１０４は、複数の凸部２０６にそれぞれ設けられた複数の孔２０６ａを介して、電子機器装置本体に設けられた複数のネジ穴（図示を省略する）に螺合されるボトムプレート固定用ネジによって電子機器装置本体に固定される。
【００４５】
基板２０１には、ボトムプレート１０４に設けられた複数の孔２０６ａ、および、電子機器装置本体に設けられた複数のネジ穴に対応する位置に、複数の孔２０７が設けられている。これにより、ボトムプレート１０４に設けられた複数の孔２０６ａおよび基板２０１に設けられた複数の孔２０７をそれぞれ介して、電子機器装置本体に設けられた複数のネジ穴にネジを螺合させ、電子機器装置本体とボトムプレート１０４との間において基板２０１を狭持することができる。
【００４６】
コネクタプレート１０５は、ボトムプレート１０４に設けられた複数のネジ穴（図示を省略する）に螺合されるコネクタプレート固定用ネジ２０８によってボトムプレート１０４に固定される。コネクタプレート固定用ネジ２０８は、ボトムプレート１０４を貫通し、電子機器装置本体に螺合されるものであってもよい。
【００４７】
（ロッカースイッチ１０６およびコネクタ１０７の取付構造）
つぎに、ロッカースイッチ１０６およびコネクタ１０７の取付構造について説明する。図３〜１１は、ロッカースイッチ１０６およびコネクタ１０７の取付構造を示す説明図である。図３〜１１においては、この発明にかかる実施の形態の電子機器装置１００の一部を示している。
【００４８】
より詳細には、図３においては、実装基板２０１、ボトムプレート１０４およびコネクタプレート１０５を組み付けた状態を斜め方向から見た状態を示している。図４においては、図３の状態から、コネクタプレート１０５を取り外し、当該コネクタプレート１０５とボトムプレート１０４とを対向させた状態を示している。
【００４９】
図５および図６においては、組み付けた状態の実装基板２０１、ボトムプレート１０４およびコネクタプレート１０５を、それぞれ異なる方向から見た斜視状態を示している。図７においては、図６におけるＡ矢視図を示している。図８においては、図７におけるＢ矢視図を示している。図９においては、図８におけるＣ矢視図を示している。図１０においては、図９におけるＤ−Ｄ断面を示している。図１１においては、図９におけるＥ−Ｅ断面を示している。
【００５０】
図３〜１１に示すように、ボトムプレート１０４は、第１の面２０２によって実装基板２０１の裏面側を覆う。ボトムプレート１０４における第２の面２０３は、ロッカースイッチ１０６およびコネクタ１０７が配置されている面に沿って第１の面２０２から起立している。
【００５１】
第２の面２０３に設けられた規制部２０３ａは、ボトムプレート１０４に組み付けられた状態の基板２０１に実装されたロッカースイッチ１０６の位置を規制する。規制部２０３ａは、ロッカースイッチ１０６において、スイッチングアーム１０６ａの周囲に設けられたフランジ１０６ｃよりも筐体１０１の内側に位置付けられる（図１０を参照）。
【００５２】
これにより、フランジ１０６ｃを筐体１０１の内側から外側に付勢するようにロッカースイッチ１０６の位置決めをおこなうことができる。そして、これにより、操作に際して荷重がかけられることによるロッカースイッチ１０６の筐体１０１の内側への移動を確実に防止することができる。
【００５３】
また、規制部２０３ａは、ロッカースイッチ１０６の位置決めをおこなうとともに、ボトムプレート１０４に組み付けられた状態の基板２０１に実装されたロッカースイッチ１０６を外部に臨ませるように、ロッカースイッチ１０６の周縁形状に沿ってロッカースイッチ１０６を回避する形状をなす。
【００５４】
ボトムプレート１０４は、後述する電子機器装置１００の組み立てに際して、電子機器装置本体に組み付けられた実装基板２０１の裏面側から、当該実装基板２０１に当接するようにスライドさせることによって組み付けられる。上記のように、ロッカースイッチ１０６はスイッチングアーム１０６ａの突出分だけコネクタプレート１０５から外方に突出しているため、ボトムプレート１０４の組み付けに際してボトムプレート１０４とロッカースイッチ１０６とが干渉しないように、規制部２０３ａは第３の面２０４側の端部が開放されている。
【００５５】
コネクタ群開放窓２０５は、第２の面２０３を介して、コネクタ１０７を外部に臨ませるように切り欠かれている。この実施の形態において、基板２０１には複数のコネクタ１０７が設けられており、コネクタ群開放窓２０５は、複数のコネクタ１０７によって構成されるコネクタ１０７群を単一の開口から外部に臨ませる。
【００５６】
上記のように、ボトムプレート１０４は実装基板２０１に当接するようにスライドさせることによって組み付けられるため、ボトムプレート１０４の組み付けに際してボトムプレート１０４とコネクタ１０７とが干渉しないように、コネクタ群開放窓２０５は、第３の面２０４側の端部が開放され、ボトムプレート１０４における第３の面２０４に連続して設けられている。これにより、ボトムプレート１０４の組み付けに際して、ボトムプレート１０４とコネクタ１０７との干渉を回避することができる。
【００５７】
コネクタ群開放窓２０５は、電子機器装置１００の幅方向における寸法が当該幅方向におけるコネクタ１０７取付領域の寸法よりも大きく、かつ、コネクタ群開放窓２０５の底面側の周縁の位置が各コネクタ１０７の筐体１０１における底面側の周縁の位置よりも底面側に位置するように形成されている。
【００５８】
ボトムプレート１０４における第３の面２０４には、ボトムプレート１０４の組み付けに際してボトムプレート１０４とロッカースイッチ１０６とが干渉しないように、電子機器装置本体と基板２０１とボトムプレート１０４との積層方向に沿って、ロッカースイッチ１０６の突出部分（フランジ１０６ｃおよびスイッチングアーム１０６ａ）に相当する形状の逃げ用の切り欠き部６０１が設けられている。
【００５９】
逃げ用の切り欠き部６０１は、電子機器装置本体と基板２０１とボトムプレート１０４との積層方向に沿って、電源ＯＦＦの状態に位置づけられたロッカースイッチ１０６の突出部分（フランジ１０６ｃおよびスイッチングアーム１０６ａ）と重複する形状をなす。逃げ用の切り欠き部６０１は、規制部２０３ａにおいて開放された第３の面２０４側の端部に連続して切り欠かれている。
【００６０】
コネクタプレート１０５は、規制部２０３ａよりも筐体１０１における外側に設けられる。コネクタプレート１０５が備える第１の開口１０８は、ロッカースイッチ１０６を外部に臨ませる。コネクタプレート１０５が備える第２の開口１０９は、コネクタ１０７群における複数のコネクタ１０７のそれぞれを外部に臨ませる。
【００６１】
コネクタプレート１０５は、規制部２０３ａがなす切り欠き部分のうちのロッカースイッチ１０６を回避した位置、および、コネクタ群開放窓２０５がなす切り欠き部分のうちのそれぞれのコネクタ１０７を回避した位置を覆う。これにより、第３の面２０４側の端部が開放されている規制部２０３ａやコネクタ群開放窓２０５を設けた場合にも、これらによる切り欠き部分を覆い、電子機器装置１００の美観を確保することができる。
【００６２】
（電子機器装置１００の組み付け手順）
つぎに、電子機器装置１００の組み付け手順について説明する。図１２〜図１６は、電子機器装置１００の組み付け手順を示す説明図である。電子機器装置１００の組み付け作業に際しては、まず、基板２０１とボトムプレート１０４とコネクタプレート１０５とを除いた部材によって構成される電子機器装置本体を組み立てる。また、基板２０１にロッカースイッチ１０６およびコネクタ１０７を実装する。
【００６３】
つぎに、図１２に示すように、ロッカースイッチ１０６およびコネクタ１０７が実装された基板２０１（実装基板２０１）を、電子機器装置本体に組み合わせる。実装基板２０１は、基板２０１に設けられた複数の孔２０６ａを、電子機器装置本体に設けられた複数のネジ穴にそれぞれ重ね合わせることによって、電子機器装置本体に組み合わせる。
【００６４】
実装基板２０１は、上記のように、ボトムプレート１０４を電子機器装置本体に固定する（組み付ける）ためのネジによって電子機器装置本体に固定される。このため、電子機器装置本体に実装基板２０１を組み合わせた状態では、実装基板２０１は電子機器装置本体に対して固定されていない。
【００６５】
つぎに、図１３に示すように、実装基板２０１が組み合わせられた電子機器装置本体に、ボトムプレート１０４を組み合わせる。ボトムプレート１０４の組み合わせ作業に際しては、まず、ボトムプレート１０４における内側の面を、実装基板２０１におけるロッカースイッチ１０６およびコネクタ１０７が取り付けられた面（実装面）とは反対側の面（裏面）に対向させた状態で、実装基板２０１に対するボトムプレート１０４の位置合わせをおこなう。
【００６６】
ボトムプレート１０４の位置合わせに際しては、まず、ボトムプレート１０４の内面を実装基板２０１の裏面に対して平行にする。つぎに、ボトムプレート１０４の内面を実装基板２０１の裏面に対して平行にした状態で、ボトムプレート１０４におけるロッカースイッチ１０６に応じた切り欠き部およびコネクタ１０７に応じた切り欠き部を、実装基板２０１におけるロッカースイッチ１０６およびコネクタ１０７と、実装基板２０１とボトムプレート１０４との組み付け方向においてそれぞれ重複させる。
【００６７】
また、ボトムプレート１０４の位置合わせに際しては、ボトムプレート１０４の底面部から突出する複数の突起部２０６にそれぞれ設けられた複数の孔２０６ａを、基板２０１に設けられた複数の孔２０７にそれぞれ重複させる。これによって、実装基板２０１が組み合わせられた電子機器装置本体に対する、ボトムプレート１０４の位置合わせをおこなうことができる。
【００６８】
上記のように、逃げ用の切り欠き部６０１は、電源ＯＦＦの状態に位置づけられたロッカースイッチ１０６と重複するように形成されている。このため、実装基板２０１とボトムプレート１０４との位置合わせは、ロッカースイッチ１０６を電源ＯＦＦの状態に位置づけておこなう。
【００６９】
つぎに、位置合わせをおこなったボトムプレート１０４を実装基板２０１に重ね合わせるように、電子機器装置の高さ方向に沿ってボトムプレート１０４を電子機器装置本体に近づける。これにより、図１４に示すように、規制部２０３ａが、ロッカースイッチ１０６におけるフランジ１０６ｃに、筐体１０１の内側から当接する。
【００７０】
ボトムプレート１０４は、ボトムプレート１０４の内側の面に設けられた複数の凸部２０６が、実装基板２０１の裏面に当接するまでスライドさせる。図１４においては、ボトムプレート１０４における第１の面２０２に平行な面に沿って、ボトムプレート１０４を組み合わせた状態の電子機器装置１００を切断した状態を示している。
【００７１】
上記のように、コネクタ群開放窓２０５は、電子機器装置１００の幅方向における寸法が当該幅方向におけるコネクタ１０７の取付領域の寸法よりも大きく、かつ、コネクタ群開放窓２０５の底面側の周縁の位置が各コネクタ１０７の底面側の周縁の位置よりも底面側に位置するように形成されている。このため、電子機器装置本体に対してボトムプレート１０４をスライドさせる際に、ボトムプレート１０４とコネクタ１０７とが干渉することがない。
【００７２】
これにより、コネクタ１０７によって制限されることなく、規制部２０３ａをロッカースイッチ１０６に当接させ、ボトムプレート１０４の内側の面に設けられた複数の凸部２０６が実装基板２０１の裏面に当接するまで、当該ボトムプレート１０４をスライドさせることができる。
【００７３】
つぎに、電子機器装置本体に設けられた複数のネジ穴に、ボトムプレート固定用のネジを螺合させる。ボトムプレート固定用のネジは、ボトムプレート１０４における複数の突起部に設けられた各孔２０６ａと、基板２０１に設けられた各孔２０７と、を貫通した状態で電子機器装置本体に設けられた複数のネジ穴に螺合させる。これにより、実装基板２０１およびボトムプレート１０４を電子機器装置本体に対して固定し、電子機器装置本体に実装基板２０１およびボトムプレート１０４を組み付けることができる。
【００７４】
つぎに、実装基板２０１およびボトムプレート１０４が組み付けられた電子機器装置本体に、コネクタプレート１０５を組み付ける。コネクタプレート１０５の組み付けに際しては、まず、コネクタプレート１０５における第１の開口１０８をロッカースイッチ１０６に対向させるとともに、第２の開口１０９を各コネクタ１０７に対応するそれぞれのコネクタ１０７に対向させる。
【００７５】
つぎに、第１の開口１０８とロッカースイッチ１０６とが嵌合し、第２の開口１０９と各コネクタ１０７とが嵌合するように、コネクタプレート１０５をボトムプレート１０４に近づける。コネクタプレート１０５は、第１の開口１０８とロッカースイッチ１０６とが嵌合するとともに、第２の開口１０９と各コネクタ１０７とが嵌合し、かつ、コネクタプレート１０５における屈曲部分がボトムプレート１０４における屈曲部分に重なり合うまでボトムプレート１０４に近づける。
【００７６】
そして、電子機器装置本体に設けられた筐体固定用の複数のネジ穴に、コネクタプレート固定用のネジを螺合させる。コネクタプレート固定用のネジは、コネクタプレート１０５に設けられた各孔と、ボトムプレート１０４に設けられた筐体固定用の各孔と、を貫通した状態でコネクタプレート固定用のネジ穴にコネクタプレート固定用ネジ２０８を螺合させる。これにより、図１５に示すように、コネクタプレート１０５をボトムプレート１０４に固定し、実装基板２０１およびボトムプレート１０４を組み付けた電子機器装置本体にコネクタプレート１０５を組み付けることができる。
【００７７】
実装基板２０１にボトムプレート１０４を取り付け、さらに当該ボトムプレート１０４にカバー部材を取り付けた状態においては、ロッカースイッチ１０６およびコネクタ１０７のみが外部に臨み、電子機器装置本体におけるロッカースイッチ１０６およびコネクタ１０７以外の部分はコネクタプレート１０５によって覆われる。これにより、電子機器装置１００の美観を確保することができる。
【００７８】
上述した実装基板２０１、ボトムプレート１０４およびコネクタプレート１０５の組み付け作業は、電子機器装置本体の天面よりも接地面側を鉛直方向における上方に位置づけた状態でおこなうことが好ましい。これにより、実装基板２０１、ボトムプレート１０４およびコネクタプレート１０５のそれぞれの取り付け位置の視認性を確保し、実装基板２０１、ボトムプレート１０４およびコネクタプレート１０５の取り付け作業を容易かつ確実におこなうことができる。
【００７９】
電子機器装置１００においては、上記のように、ロッカースイッチ１０６における外装ケーシング１０６ｂに設けられたフランジ１０６ｃを規制部２０３ａによって位置決めすることにより、操作に際して加えられる外力をフランジ１０６ｃを介してボトムプレート１０４によって受け止める。これにより、電源のＯＮ／ＯＦＦ操作に際して加えられる外力によってロッカースイッチ１０６が筐体１０１の内側に移動することを防止できる。
【００８０】
また、操作に際して加えられる外力を、フランジ１０６ｃを介してボトムプレート１０４によって受け止め、ロッカースイッチ１０６が筐体１０１の内側に移動することを防止することにより、基板２０１におけるロッカースイッチ実装部分の破損を防止することができる。具体的には、既に基板２０１に実装され、当該基板２０１に固定されているロッカースイッチ１０６の移動を防止することにより、たとえば、基板２０１とロッカースイッチ１０６との境界部分およびその近傍において基板２０１からロッカースイッチ１０６を引きはがすような外力が作用することを防止できる。これにより、当該外力によって基板２０１やロッカースイッチ１０６が破損したり、基板２０１とロッカースイッチ１０６との接続部材が破断したりすることに起因するロッカースイッチ１０６および基板２０１のロッカースイッチ実装部分の破損を防止することができる。
【００８１】
電子機器装置１００の組み付けに際しては、ロッカースイッチ１０６およびコネクタ１０７を基板２０１に実装し、ロッカースイッチ１０６およびコネクタ１０７を基板２０１とともにユニット化することにより、取り扱い性を容易化することができる。また、上記のように、ロッカースイッチ１０６およびコネクタ１０７を筐体１０１における単一の面内に配置することにより、電子機器装置１００の美観を確保し、かつ、電子機器装置１００の設置にかかる省スペース化を図ることができる。
【００８２】
一方で、基板２０１に実装された状態のロッカースイッチ１０６の位置を、外力に抗して規制するためには、ロッカースイッチ１０６の位置を規制する部材をロッカースイッチ１０６に対する操作方向に対して９０度異なる方向から差し込むようにして取り付ける必要がある。また一方で、電子機器装置１００の美観を確保するためにロッカースイッチ１０６やコネクタ１０７の周囲を覆うためには、ロッカースイッチ１０６やコネクタ１０７と嵌合する開口を備えた外装部材を、コネクタ１０７に対するコネクタ１０７の挿抜方向に対して平行な方向から嵌合させるようにして取り付ける必要がある。
【００８３】
このように、ロッカースイッチ１０６を基板２０１に組み付けた状態では、当該ロッカースイッチ１０６の位置を規制する部材の基板２０１に対する組み付け方向と、コネクタ１０７を覆う外装部材の基板２０１に対する組み付け方向と、が異なっている。このため、従来の電子機器装置においては、ロッカースイッチ１０６やコネクタ１０７を基板２０１に実装した状態で取り扱うことによる作業性の向上と、ロッカースイッチ１０６およびコネクタ１０７を筐体１０１における単一の面内に配置することによる美観の確保と、を両立させることができなかった。
【００８４】
具体的には、従来の電子機器においては、たとえば、ロッカースイッチ１０６およびコネクタ１０７を単一の面内に配置する場合は、ロッカースイッチ１０６およびコネクタ１０７をあらかじめ基板２０１に実装しておくことができなかった。より具体的には、ロッカースイッチ１０６やコネクタ１０７を実装した基板を電子機器装置本体に組み付ける前に、当該基板にロッカースイッチ１０６の位置を規制する規制部材や、ロッカースイッチ１０６およびコネクタ１０７を覆う外装部材をそれぞれ組み付けてアッセンブリ化した部材を、電子機器装置本体に取り付ける必要があった。この場合、アッセンブリ化することによって、電子機器装置に組み付ける部材の重量が大きくなるため、たとえば、電子機器装置本体と基板とを電気的に接続する配線作業にかかる作業者の負担が大きくなる。
【００８５】
一方で、基板と外装部材をアッセンブリ化せず、ロッカースイッチ１０６やコネクタ１０７を実装した基板を電子機器装置本体に組み付けた後に、ロッカースイッチ１０６の位置を規制する規制部材や外装部材を取り付ける場合、ロッカースイッチ１０６を覆う外装部材の基板２０１に対する組み付け方向とコネクタ１０７を覆う外装部材の基板２０１に対する組み付け方向とが異なっているため、ロッカースイッチ１０６およびコネクタ１０７を単一の面内に配置することが難しい。
【００８６】
これに対し、この発明にかかる実施の形態の電子機器装置１００は、規制部２０３ａを備えたボトムプレート１０４と、第１の開口１０８および第２の開口１０９を備えたコネクタプレート１０５とを設けることにより、実装基板２０１にボトムプレート１０４やコネクタプレート１０５を組み付けてアッセンブリ化することなく、ロッカースイッチ１０６の位置を規制するとともに、ロッカースイッチ１０６およびコネクタ１０７を単一の面内に配置することができる。
【００８７】
以上説明したように、この発明にかかる実施の形態の電子機器装置１００は、単一の基板２０１に実装されたロッカースイッチ１０６およびコネクタ１０７と、ロッカースイッチ１０６およびコネクタ１０７を単一の面から外部に臨ませた状態で基板２０１を収容する筐体１０１と、を備え、筐体１０１が、基板２０１におけるロッカースイッチ１０６およびコネクタ１０７の実装面の裏面側を覆う底面部と、当該底面部からロッカースイッチ１０６側に突出し、ロッカースイッチ１０６の筐体１０１の内側への移動を規制する規制部２０３ａと、を備えたフレーム部材としてのボトムプレート１０４と、規制部２０３ａよりも筐体１０１における外側に設けられ、ロッカースイッチ１０６と嵌合してロッカースイッチ１０６を外部に臨ませる第１の開口１０８とコネクタ１０７と嵌合してコネクタ１０７を外部に臨ませる第２の開口１０９とを備えたカバー部材としてのコネクタプレート１０５と、を備えたことを特徴としている。
【００８８】
この発明にかかる実施の形態の電子機器装置１００によれば、ロッカースイッチ１０６およびコネクタ１０７を単一の基板２０１に実装することにより、ロッカースイッチ１０６およびコネクタ１０７をユニットとして取り扱うことができる。これにより、電子機器装置の組み立て作業の容易化を図ることができる。
【００８９】
また、この発明にかかる実施の形態の電子機器装置１００によれば、底面部により基板２０１の裏面側を覆うフレーム部材が備える規制部によってロッカースイッチ１０６の位置を規制することにより、ロッカースイッチ１０６をコネクタ１０７と同一の基板２０１に実装した場合にも、操作に際して荷重がかけられることによるロッカースイッチ１０６の筐体の内側への移動を確実に防止することができる。これにより、ロッカースイッチ１０６およびコネクタ１０７を単一の基板２０１に実装した場合にも、ロッカースイッチ１０６の保護にかかる組み立て作業を煩雑化することなく、操作に際して荷重がかけられることによるロッカースイッチ１０６および基板２０１のロッカースイッチ実装部分の破損を防止することができる。
【００９０】
さらに、この発明にかかる実施の形態の電子機器装置１００によれば、ロッカースイッチ１０６およびコネクタ１０７を外部に臨ませるコネクタプレート１０５を、規制部２０３ａよりも筐体１０１の外側に設けることにより、コネクタ１０７と同じ面内に配置されたロッカースイッチ１０６のみに対応して規制部２０３ａを設けた場合にも、電子機器装置１００の美観を確保することができる。
【００９１】
また、この発明にかかる実施の形態の電子機器装置１００によれば、コネクタプレート１０５を規制部２０３ａよりも筐体１０１の外側に設けることにより、規制部２０３ａをコネクタプレート１０５によって保護することができる。これにより、電子機器装置１００の美観を確保するとともに、ロッカースイッチ１０６および基板２０１のロッカースイッチ実装部分の破損をより確実に防止することができる。
【００９２】
このように、この発明にかかる実施の形態によれば、ロッカースイッチ１０６および基板２０１のロッカースイッチ実装部分の破損を防止でき、ロッカースイッチ１０６およびコネクタ１０７を筐体１０１における単一の面内に配置することによって美観を確保するとともに設置にかかる省スペース化を図ることができる電子機器装置１００を、作業を煩雑化することなく容易に組み立てることができる。
【００９３】
また、この発明にかかる実施の形態の電子機器装置１００は、第１の開口１０８が、単一の面内においてロッカースイッチ１０６と嵌合し、第２の開口１０９が、単一の面内においてコネクタ１０７と嵌合することを特徴としている。
【００９４】
この発明にかかる実施の形態の電子機器装置１００によれば、ロッカースイッチ１０６およびコネクタ１０７とそれぞれ嵌合する各開口１０８、１０９を備えるコネクタプレート１０５を設けることにより、電子機器装置１００の美観を確保するとともに、美観を単一の面内におけるロッカースイッチ１０６およびコネクタ１０７の移動を規制することができる。
【産業上の利用可能性】
【００９５】
以上のように、この発明にかかる電子機器装置は、ロッカースイッチおよびコネクタを備えた電子機器装置に有用であり、特に、単一の面内に配置されたロッカースイッチおよびコネクタを備えた電子機器装置に適している。
【符号の説明】
【００９６】
１００  電子機器装置
１０１  筐体
１０２  ケース
１０４  ボトムプレート
１０５  コネクタプレート
１０６  ロッカースイッチ
１０６ａ  スイッチングアーム
１０６ｂ  外装ケーシング
１０６ｃ  フランジ
１０７  コネクタ
１０８  第１の開口
１０９  第２の開口
２０１  基板（実装基板）
２０２  第１の面
２０３  第２の面
２０３ａ  規制部
２０４  第３の面
２０５  コネクタ群開放窓
６０１  逃げ用の切り欠き部
【図１】
2018063608.tif 000003
【図２】
2018063608.tif 000004
【図３】
2018063608.tif 000005
【図４】
2018063608.tif 000006
【図５】
2018063608.tif 000007
【図６】
2018063608.tif 000008
【図７】
2018063608.tif 000009
【図８】
2018063608.tif 000010
【図９】
2018063608.tif 000011
【図１０】
2018063608.tif 000012
【図１１】
2018063608.tif 000013
【図１２】
2018063608.tif 000014
【図１３】
2018063608.tif 000015
【図１４】
2018063608.tif 000016
【図１５】
2018063608.tif 000017
【図１６】
2018063608.tif 000018